(57)【要約】【課題】本発明の課題は、収納する商品のホットあるいはコールド状態に応じて売切ランプの点灯タイミングを変更することのできる自動販売機を提供することにある。【解決手段】  売切検知スイッチを備え、該売切検知スイッチによる検知後、所定本数販売後に売切ランプを点灯する自動販売機において、前記売切検知スイッチによる検知後、所定本数販売後に売切ランプを点灯するかあるいは前記売切検知スイッチによる検知により売切ランプを点灯するかを設定する設定手段と、前記売切検知スイッチによる検知時に設定手段により設定された点灯条件にて売切ランプを点灯する制御手段とを備えたことを特徴とする。【選択図】図１
2008282318.tif 000002
【特許請求の範囲】
【請求項１】
売切検知スイッチを備え、該売切検知スイッチによる検知後、所定本数販売後に売切ランプを点灯する自動販売機において、売切ランプの点灯条件として、前記売切検知スイッチによる検知後、所定本数販売後に売切ランプを点灯するかあるいは前記売切検知スイッチによる検知により売切ランプを点灯するかを設定する設定手段と、前記売切検知スイッチによる検知時に設定手段により設定された点灯条件にて売切ランプを点灯する制御手段とを備えたことを特徴とする自動販売機。
【請求項２】
請求項１記載の自動販売機において、収納されている商品がホット商品の場合には前記売切検知スイッチによる検知後、所定本数販売後に売切ランプを点灯し、収納されている商品がコールド商品の場合には前記売切検知スイッチによる検知により売切ランプを点灯することを特徴とする自動販売機。
【請求項３】
請求項２記載の自動販売機において、収納庫のホットコールドを切り替える冷温切替手段を備え、冷温切替手段の切替に基づき、売切ランプの点灯条件を変更すること特徴とする自動販売機。
【発明の詳細な説明】
【技術分野】
【０００１】
本発明は、ホット、コールドのいずれの商品も収納でき、収納されている商品が売切れた場合に該当する売切ランプの点灯する自動販売機に関する。
【背景技術】
【０００２】
従来、自動販売機の売切検知スイッチは、商品収納棚と商品搬出装置との関係上、最下部の商品ではなく、最下部から２番目の商品の有無を検知する位置に設けられている。
このため、収納商品を完売させるために売切検知スイッチが動作した後、同収納棚から販売動作が行われ、商品搬出装置が１回動作すると、完売したとして、売切ランプを点灯するようにした自動販売機が知られている（例えば、特許文献１参照）。
【特許文献１】特開平４−８８５９８号号公報
【発明の開示】
【発明が解決しようとする課題】
【０００３】
ところで、上記従来技術における売切ランプ点灯方式の自動販売機では、ホット商品を販売する場合に長期加温によるホット商品の劣化の問題もあり、最後の１本まで販売して完売することは有効であるが、コールド商品においては、売切解除後すぐに販売を開始したいという要望もあり、最後の１本まで販売してしまう従来の販売方式では、商品補充後に収納商品が適温となるまで売切状態を保つ必要があるため、すぐに販売を開始できないという課題があった。
【０００４】
そこで、本発明は、上記課題に鑑みて、収納する商品のホットあるいはコールド状態に応じて売切ランプの点灯タイミングを変更することのできる自動販売機を提供することを目的とする。
【課題を解決するための手段】
【０００５】
上記課題を解決するために、本発明においては、売切検知スイッチを備え、該売切検知スイッチによる検知後、所定本数販売後に売切ランプを点灯する自動販売機において、前記売切検知スイッチによる検知後、所定本数販売後に売切ランプを点灯するかあるいは前記売切検知スイッチによる検知により売切ランプを点灯するかを設定する設定手段と、前記売切検知スイッチによる検知時に設定手段により設定された点灯条件にて売切ランプを点灯する制御手段とを備えたことを特徴とする。
【０００６】
また、収納されている商品がホット商品の場合には前記売切検知スイッチによる検知後、所定本数販売後に売切ランプを点灯し、収納されている商品がコールド商品の場合には前記売切検知スイッチによる検知により売切ランプを点灯することを特徴とするものである。
さらに、収納庫のホットコールドを切り替える冷温切替手段を備え、冷温切替手段の切替に基づき、売切ランプの点灯条件を変更するものである。
【発明の効果】
【０００７】
本発明は、売切ランプの点灯条件として、売切検知スイッチによる検知後、所定本数販売後に売切ランプを点灯するかあるいは売切検知スイッチによる検知により売切ランプを点灯するかを設定する設定手段と、売切検知スイッチによる検知時に設定手段により設定された点灯条件にて売切ランプを点灯する制御手段とを備え、収納する商品に基づいて収納商品を効率よく販売可能となる。
【０００８】
また、収納されている商品がホットあるいはコールドかに基づいて、売切ランプの点灯タイミングを変えるため、ホット商品については長期加温による劣化を防止でき、コールド商品については商品補充後すぐに販売を開始できるという効果が得られる。
さらに、収納庫ホットコールドを切り替える冷温切替手段の切り替えに連動して売切ランプ点灯条件を切り替えることにより、設定作業が容易となる。
【発明を実施するための最良の形態】
【０００９】
以下に添付図面を参照して、好適な実施例を詳細に説明する。なお、この実施例によりこの発明が限定されるものではない。
図４は、本発明の実施の対象となる自動販売機の概略正面図の一例を示すものであり、自動販売機４１は、その庫内に複数種類の商品を個別に収納する複数の商品収納棚を備えており、商品選択ボタン４４が押され、販売指令が与えられた場合に押された商品選択ボタン４４に対応する商品を搬出する。
【００１０】
この自動販売機４１の前面には、上部に商品見本展示室４２と、該展示室４２内に配置される複数の商品見本４３と、該商品見本４３に対応して設けられる販売可能ランプおよび売切ランプを備える商品選択ボタン４４と、紙幣を入金する紙幣挿入口４５と、硬貨を投入する硬貨投入口４６と、投入貨幣を返却する返却レバー４７と、釣銭などを返却する硬貨返却口４６ａと、投入金額表示を行う金額表示を含む一体表示器４８と、搬出された商品を取り出す商品取出口４９とを備える。
【００１１】
次に、図１に、本発明の実施例を示すブロック図である。
図１において、１は自動販売機全体を制御するとともに、制御プログラムを記憶するメモリ１ａ、冷温状態、後述する売切検知スイッチによる売切ランプ点灯条件他、自動販売機の動作に係る設定データを含む各種データを記憶するメモリ１ｂなどを備える主制御部である。
【００１２】
この主制御部１には、売切ランプの点灯条件、冷温切替設定など各種設定を行うためのリモコン１２、硬貨あるいは紙幣の受入、演算を行う貨幣処理部１３、冷却機およびヒータなどからなる冷熱装置１４ａ，商品を搬出する商品搬出装置１４ｂ，最下部から２番目の商品の有無を検知する売切検知スイッチ１４ｃなどを制御する本体制御部１４のほか、前記販売可能ランプ４４ａおよび売切ランプ４４ｂを備える商品選択ボタン４４、一体表示器４８などがそれぞれ接続されている。
【００１３】
ここでまず、売切ランプ４４ｂの点灯条件の設定処理について説明する。
リモコン１２を操作して売切ランプ４４ｂの点灯条件設定とし、商品収納棚毎に売切検知スイッチ１４ｃによる検知後、１本販売後に売切ランプ４４ｂを点灯するかあるいは売切検知スイッチ１４ｃによる検知により売切ランプ４４ｂを点灯するかを設定するものであり、本実施例においては、ホット商品を収納する商品収納棚では、売切検知スイッチ１４ｃによる検知後、１本販売後に売切ランプ４４ｂを点灯する設定を行い、コールド商品を収納する商品収納棚では、売切検知スイッチ１４ｃによる検知により売切ランプ４４ｂを点灯する設定を行うものである。
【００１４】
また、予め設定しておき、収納庫内の冷温切替設定に連動して売切ランプ４４ｂの点灯条件が自動的に設定されるようにしてもよく、この場合には、売切ランプ点灯条件設定を省略することが可能となる。
この構成において、図２のフローチャートを用い、ホット商品を収納する商品収納棚における売切ランプ４４ｂの点灯処理について説明する。
【００１５】
商品搬出指令に基づき、商品搬出装置１４ｂを駆動し、商品を搬出して販売を行い（ステップＳ２１）、次に、商品無しを売切検知スイッチ１４ｃが検知したか否かを判断し（ステップＳ２２）、売切検知スイッチ１４ｃにて商品無しを検知していなければ（ステップＳ２２，Ｎｏ）、通常の販売待機状態に戻り、次の販売を待つ。
一方、商品搬出指令に基づき、商品搬出装置１４ｂを駆動し、商品を搬出して販売を行い（ステップＳ２１）、次に、商品無しを売切検知スイッチ１４ｃにて検知すると（ステップＳ２２，Ｙｅｓ）、売切検知スイッチ１４ｃの状態をメモリ１１ｂに記憶する（ステップＳ２３）。
【００１６】
次に、商品搬出指令に基づき、同商品収納棚の商品搬出装置１４ｂを駆動し、商品を搬出して販売を行うと（ステップＳ２４）、売切検知スイッチ１４ｃの状態をメモリ１１ｂから読み出し（ステップＳ２５）、該当する商品選択スイッチ４４の売切ランプ４４ｂを点灯する（ステップＳ２６）。
このように、ホット商品の場合には、商品無しを売切検知スイッチ１４ｃにて検知した後、１本販売後に売切ランプ４４ｂを点灯することで、商品補充が遅れた際の長期加温によるホット商品の劣化を防止する。
【００１７】
次に、図３のフローチャートを用い、コールド商品を収納する商品収納棚における売切ランプ４４ｂの点灯処理について説明する。
商品搬出指令に基づき、商品搬出装置１４ｂを駆動し、商品を搬出して販売を行い（ステップＳ３１）、次に、商品無しを売切検知スイッチ１４ｃが検知したか否かを判断し（ステップＳ３２）、商品無しを売切検知スイッチ１４ｃにて検知していなければ（ステップＳ３２，Ｎｏ）、通常の販売待機状態に戻り、次の販売を待つ。
【００１８】
一方、商品搬出指令に基づき、商品搬出装置１４ｂを駆動し、商品を搬出して販売を行い（ステップＳ３１）、次に、商品無しを売切検知スイッチ１４ｃにて検知すると（ステップＳ３２，Ｙｅｓ）、売切検知スイッチ１４ｃの状態をメモリ１１ｂに記憶するとともに、（ステップＳ３３）、該当する商品選択スイッチ４４の売切ランプ４４ａを点灯する（ステップＳ３４）。
【００１９】
このように、コールド商品の場合には、商品無しを売切検知スイッチ１４ｃにて検知した時点で該当の売切ランプ４４ｂを点灯することにより、商品収納棚に１本商品を残した状態で売切ランプが点灯するため、次回、商品補充した後には収納されている１本は適温状態であり、商品補充後、すぐに販売を再開することができる。
【図面の簡単な説明】
【００２０】
【図１】本発明の実施形態にかかる自動販売の構成を示すブロック図である。
【図２】本発明の実施の形態を示すフローチャート図である。
【図３】本発明の実施の形態を示すフローチャート図である。
【図４】本発明の対象となる自動販売機を示す概略正面図である。
【符号の説明】
【００２１】
１          主制御部
１ａ，１ｂ  メモリ
１２        リモコン
１４        本体制御部
１４ｂ      商品搬出装置
１４ｃ      売切検知スイッチ
４１        自動販売機
４４        商品選択ボタン
４４ｂ      売切ランプ
【図１】
2008282318.tif 000003
【図２】
2008282318.tif 000004
【図３】
2008282318.tif 000005
【図４】
2008282318.tif 000006